【手続補正書】
【提出日】平成19年3月27日(2007.3.27)
【手続補正１】
【補正対象書類名】特許請求の範囲
【補正対象項目名】全文
【補正方法】変更
【補正の内容】
【特許請求の範囲】
【請求項１】
記録媒体に制御情報を記録する方法において、
少なくとも１つの制御情報が設けられ、前記制御情報は、記録層に対して当該記録層の適用可能な速度ごとに設けられ、前記制御情報は、適用可能な記録速度情報を含み、
前記制御情報を記録媒体の特定領域に記録することを特徴とする記録媒体の制御情報の記録方法。
【請求項２】
前記制御情報内に含まれる適用可能な記録速度情報は、それぞれの記録速度の適用可否を表すことを特徴とする請求項１に記載の記録媒体の制御情報の記録方法。
【請求項３】
前記適用可能な記録速度情報は、上位記録速度が許容とされると下位記録速度も許容と設定されることを特徴とする請求項１に記載の記録媒体の制御情報の記録方法。
【請求項４】
前記適用可能な記録速度情報は、記録速度の適用可否を示す特定値に設定されることを特徴とする請求項１に記載の記録媒体の制御情報の記録方法。
【請求項５】
前記適用可能な記録速度情報は、ビット位置の値で設定されることを特徴とする請求項４に記載の記録媒体の制御情報の記録方法。
【請求項６】
前記適用可能な記録速度情報内の下位記録速度は、上位記録速度の適用可否に特徴とする請求項５に記載の記録媒体の制御情報の記録方法。
【請求項７】
前記制御情報内には、当該記録媒体内の記録層の数の情報を更に含むことを特徴とする請求項１に記載の記録媒体の制御情報の記録方法。
【請求項８】
前記制御情報内には、記録ストラテジタイプ情報と、前記記録ストラテジタイプ情報により適用される記録ストラテジパラメータを更に含むことを特徴とする請求項１に記載の記録媒体の制御情報の記録方法。
【請求項９】
前記制御情報内には、１つまたはそれ以上の適用可能な記録ストラテジタイプ情報を更に含むことを特徴とする請求項１に記載の記録媒体の制御情報の記録方法。
【請求項１０】
前記制御情報内には、適用可能な記録ストラテジタイプ情報中に当該記録層と当該記録速度に適する最適の記録ストラテジタイプ情報を更に含むことを特徴とする請求項９に記載の記録媒体の制御情報の記録方法。
【請求項１１】
前記制御情報内に含まれる記録ストラテジ情報は、基本記録ストラテジ情報と選択記録ストラテジ情報とに区分されることを特徴とする請求項９に記載の記録媒体の制御情報の記録方法。
【請求項１２】
当該制御情報固有の記録層情報と記録速度情報を更に含むことを特徴とする請求項１に記載の記録媒体の制御情報の記録方法。
【請求項１３】
前記制御情報が記録される特定領域は、記録媒体内の管理領域を意味し、前記管理領域は、事前記録領域であるか、または前記事前記録領域から複写された記録可能な領域であることを特徴とする請求項１に記載の記録媒体の制御情報の記録方法。
【請求項１４】
前記制御情報は、ブルーレイディスク内のＰＩＣ領域内に形成されるディスク情報（ＤＩ）であることを特徴とする請求項１３に記載の記録媒体の制御情報の記録方法。
【請求項１５】
前記制御情報は、物理フォーマット情報であることを特徴とする請求項１３に記載の記録媒体の制御情報の記録方法。
【請求項１６】
速度情報を含むデータ構造において、
前記速度情報は、特定記録速度の記録媒体への適用可否を表す記録速度ごとの記録速度フラグを含み、
第２の記録速度より低い第１の記録速度のための１つまたはそれ以上の記録速度フラグは、前記第２の記録速度のための記録速度フラグに従属して設定されることを特徴とするデータ構造。
【請求項１７】
第２の記録速度フラグにより第２の記録速度が適用可能と設定されると、第１の記録速度フラグも第１の記録速度が適用可能であることを表すように設定されることを特徴とする請求項１６に記載のデータ構造。
【請求項１８】
第１および第２のそれぞれの記録速度のための記録パラメータが更に含まれることを特徴とする請求項１６に記載のデータ構造。
【請求項１９】
前記記録パラメータは、第１および第２の少なくとも１つの記録速度のための記録ストラテジタイプを含むことを特徴とする請求項１８に記載のデータ構造。
【請求項２０】
前記記録パラメータは、記録ストラテジタイプのための記録ストラテジパラメータを含むことを特徴とする請求項１９に記載のデータ構造。
【請求項２１】
前記記録パラメータは、前期記録媒体内の特定の記録層のために提供されることを特徴とする請求項２０に記載のデータ構造。
【請求項２２】
前記第１、第２の記録速度フラグは、１ビットで表されることを特徴とする請求項１６に記載のデータ構造。
【請求項２３】
記録媒体に記録情報を記録する方法において、
記録媒体の特定領域に速度情報を記録し、前記速度情報は、当該速度の記録媒体への適用可否を表す１つまたはそれ以上の記録速度ごとの記録速度フラグを含み、
第２の記録速度より低い第１の記録速度のための記録速度フラグは、前記第２の記録速度のための記録速度フラグに従属して設定されることを特徴とする光記録媒体のデータの記録方法。
【請求項２４】
速度情報を有する光記録媒体において、
前記速度情報は、当該速度の記録媒体への適用可否を表す１つまたはそれ以上の記録速度フラグを含み、第２の記録速度より低い第１の記録速度のための記録速度フラグは、前記第２の記録速度のための記録速度フラグに従属して設定されることを特徴とする光記録媒体。
【請求項２５】
前記第２の記録速度フラグにより第２の記録速度が適用可能と設定されると、前記第１の記録速度フラグも第１の記録速度が適用可能であることを表すように設定されることを特徴とする請求項２４に記載の光記録媒体。
【請求項２６】
前記第１、第２の記録速度フラグは、１ビットで表されることを特徴とする請求項２５に記載の光記録媒体。
【請求項２７】
前記光記録媒体は、記録可能なＤＶＤであることを特徴とする請求項２６に記載の光記録媒体。
【請求項２８】
前記光記録媒体は、記録可能なブルーレイディスク（ＢＤ）であることを特徴とする請求項２６に記載の光記録媒体。
【請求項２９】
記録媒体に主データを記録する方法において、
前記記録媒体に記録された速度情報を読み取るステップであって、前記速度情報が、対応する記録速度が前記記録媒体に適用可能であるかどうかを示す一つ以上の記録速度フラッグを含むステップと、
データ記憶部に前記速度情報を記憶するステップと、
前記記録媒体に前記主データを記録するために前記記憶された速度情報を利用するステップと
を含む方法であって、
第２の記録速度より低い第１の記録速度に対する第１の速度フラッグが前記第２の記録速度に対する第２の速度フラッグに依存するように設定される
ことを特徴とする方法。
【請求項３０】
前記速度情報を読み取るステップが、前記第２の記録速度が適用可能であることを前記第２の速度フラッグが示すときに、第１の記録速度が適用可能であることを示すように前記第１の速度フラッグが設定されることを読み取るステップを含むことを特徴とする請求項２９に記載の方法。
【請求項３１】
前記データ記憶部がデータ記録／再生装置のバッファであることを特徴とする請求項２９に記載の方法。
【請求項３２】
前記第１と第２の速度フラッグの両方が１情報バイトにより表されることを特徴とする請求項２９に記載の方法。
【請求項３３】
前記第１と第２の速度フラッグが前記情報バイトにおけるビット位置の値でそれぞれ表されることを特徴とする請求項３２に記載の方法。
【請求項３４】
前記記録媒体から前記第１と第２の記録速度のそれぞれに依存する記録パラメータを読み取るステップと、
前記データ記憶部に前記記録パラメータを記憶するステップと
を更に含む請求項２９に記載の方法。
【請求項３５】
記録媒体にデータを記録する方法において、
前記記録媒体から読み取られた速度情報を記憶するステップであって、前記速度情報が、対応する記録速度が前記記録媒体に適用可能であるかどうかを示す一つ以上の記録速度フラッグを含むステップと、
前記記録媒体に前記データを記録するために記憶された速度情報を読み取るステップと
を含む方法であって、
第２の記録速度より低い第１の記録速度に対する第１の速度フラッグが前記第２の記録速度に対する第２の速度フラッグに依存するように設定される
ことを特徴とする方法。
【請求項３６】
前記速度情報を記憶するステップが、前記第２の記録速度が適用可能であることを前記第２の速度フラッグが示すときに、第１の記録速度が適用可能であることを示すように前記第１の速度フラッグが設定されることを記憶するステップを含むことを特徴とする請求項３５に記載の方法。
【請求項３７】
前記速度情報を記憶するステップが、データ記録／再生装置内のバッファに前記速度情報を記憶するステップを含むことを特徴とする請求項３５に記載の方法。
【請求項３８】
前記第１と第２の速度フラッグの両方が１情報バイトにより表されることを特徴とする請求項３５に記載の方法。
【請求項３９】
前記第１と第２の速度フラッグが前記情報バイトにおけるビット位置の値でそれぞれ表されることを特徴とする請求項３８に記載の方法。
【請求項４０】
前記記録媒体から前記第１と第２の記録速度のそれぞれに依存する記録パラメータを読み取るステップと、
データ記録／再生装置内のバッファに前記記録パラメータを記憶するステップと
を更に含む請求項３５に記載の方法。
【請求項４１】
記録媒体にデータを記録する方法において、
前記記録媒体の特定の領域に記録された制御情報を読み取るステップであって、前記制御情報が速度情報とライトストラテジ情報を含み、前記速度情報が、対応する記録速度が前記記録媒体に適用可能であるかどうかを示す一つ以上の記録速度フラッグを含み、前記ライトストラテジ情報が記録速度パラメータを含むステップと、
前記記録媒体に主データを記録するために前記制御情報を利用するステップと
を含む方法であって、
第２の記録速度より低い第１の記録速度に対する第１の速度フラッグが前記第２の記録速度に対する第２の速度フラッグに依存するように設定される
ことを特徴とする方法。
【請求項４２】
前記第２の記録速度が適用可能であることを前記第２の速度フラッグが示すときに、第１の記録速度が適用可能であることを示すように前記第１の速度フラッグが設定されることを記憶するステップを更に含む請求項４１に記載の方法。
【請求項４３】
前記第１と第２の速度フラッグの両方が１情報バイトにより表されることを特徴とする請求項４１に記載の方法。
【請求項４４】
前記第１と第２の速度フラッグが前記情報バイトにおけるビット位置の値でそれぞれ表されることを特徴とする請求項４３に記載の方法。
【請求項４５】
データ記録／再生装置内のバッファに前記読み取られた制御情報を記憶するステップを更に含む請求項４１に記載の方法。